(57)【要約】  手持ち型パーソナルケア冷却ツールは、アプリケータヘッドを支持し、熱吸収コアを収容する本体を備える。アプリケータヘッドは熱吸収コアに熱的に接続されている。オプションバネ（５）がアプリケータヘッドと本体との間に設けられている。これら要素の構造は、短期間で皮膚からツールのコアへと実質的な伝熱を容易にすることを意図している。表面との接触に際し、ツールは表面からの熱エネルギーを取り除く。ツールは、目の下、額、頬、および顎等の顔の領域を処置して、炎症、腫れ、血液貯留、および他の好ましくない皮膚の欠陥を抑えて皮膚の外観を向上させる。【選択図】図１
2021511910.tif 000002
【特許請求の範囲】
【請求項１】
皮膚表面から熱エネルギーを引き込むための手持ち型の冷却ツール（１０）であって、
近位端（１ａ）と、
開口した遠位端（１ｂ）と、
中央縦軸（１ｃ）と、
を有し、０．５Ｗ／ｍ−Ｋ未満の熱伝導率を有する中空の細長い本体（１）と、
０．４μｍ〜７０μｍの粗さを有する皮膚接触面（２ｃ）と、
スロット（２ｂ）と、
１０Ｗ／ｍ−Ｋよりも大きな熱伝導率と、
を有し、前記本体の前記開口した遠位端（１ｂ）内に保持され、前記遠位端（１ｂ）から突出する金属のアプリケータヘッド（２）と、
少なくとも２５Ｊ／Ｋの熱容量と、
５０ｇ〜１５０ｇの質量と、
を有し、前記アプリケータヘッド（２）の前記スロット（２ｂ）から前記中空の本体（１）内まで延びる金属の熱吸収コア（３）と、
を備える手持ち型の冷却ツール（１０）。
【請求項２】
前記アプリケータヘッド（２）と前記熱吸収コア（３）との間に配置される熱伝導接着剤（１ｅ）をさらに備え、
前記熱伝導接着剤は、少なくとも１Ｗ／ｍ−Ｋの熱伝導率を有する、請求項１に記載の手持ち型の冷却ツール（１０）。
【請求項３】
前記熱吸収コア（３）および前記アプリケータヘッド（２）が単一構造体として形成されている、請求項１に記載の手持ち型の冷却ツール（１０）。
【請求項４】
前記アプリケータヘッド（２）と前記本体（１）との間に配置されているガスケット（４）をさらに備える、請求項１に記載の手持ち型の冷却ツール（１０）。
【請求項５】
前記本体に接続されたままで、前記アプリケータヘッドが前記本体に対して第１位置と第２位置との間で動けるように、前記本体（１）と前記アプリケータヘッド（２）との間に設けられたバネ（５）をさらに備える、請求項１に記載の手持ち型の冷却ツール（１０）。
【請求項６】
前記熱吸収コア（３）の表面の１％未満が前記本体と接触するように、エアギャップが前記熱吸収コア（３）と前記本体（１）とを分離させる、請求項１に記載の手持ち型の冷却ツール（１０）。
【請求項７】
前記皮膚接触面（２ｃ）の前記表面粗さが０．０１２μｍ〜２．０μｍである、請求項１に記載の手持ち型の冷却ツール（１０）。
【請求項８】
前記皮膚接触面（２ｃ）は、半球状から半球状未満のものまでの範囲の球状ドームとして形成され、前記皮膚接触面の前記半径は０．５ｃｍ〜３０ｃｍの範囲である、請求項１に記載の手持ち型の冷却ツール（１０）。
【請求項９】
前記皮膚接触面の前記半径は、２．０ｃｍ〜３０ｃｍの範囲である、請求項８に記載の手持ち型の冷却ツール（１０）。
【請求項１０】
前記皮膚接触面の前記半径は、１．０ｃｍ〜２．０ｃｍの範囲である、請求項８に記載の手持ち型の冷却ツール（１０）。
【請求項１１】
前記アプリケータヘッド（２）の位置は、前記本体（１）の前記中央縦軸（１ｃ）に対して非対称である、請求項８に記載の手持ち型の冷却ツール（１０）。
【請求項１２】
前記冷却ツールの重心（１０ｅ）は、前記アプリケータヘッド（２）の前記皮膚接触面（２ｃ）の頂点（２ｆ）から前記冷却ツールの長さの２５％〜５０％の距離に配置されている、請求項１に記載の手持ち型の冷却ツール（１０）。
【請求項１３】
前記組み合わせられたアプリケータヘッド（２）および熱吸収コア（３）の熱容量は、２５Ｊ／Ｋ〜３５Ｊ／Ｋである、請求項１に記載の手持ち型の冷却ツール（１０）。
【請求項１４】
請求項１に記載の手持ち型の冷却ツール（１０）および前記手持ち型の冷却ツールのための蓄冷台（６）の組み合わせであって、前記冷却ツールの前記本体（１）の前記近位端（１ａ）が開放され、前記蓄冷台は、
金属のヒートシンク（６ｂ）を収容するハウジング（６ａ）を備え、
前記金属のヒートシンク（６ｂ）の少なくとも一部（６ｃ）は、前記ハウジング（６ａ）から突出し、前記本体（１）の前記近位端（１ａ）内へと通り、前記蓄冷台（６）に前記冷却ツールが載置される際に前記熱吸収コアに接触し、
前記ヒートシンクは、少なくとも前記冷却ツール（１０）の前記熱吸収コア（３）の前記熱容量の大きさの熱容量を有する、組み合わせ。
【請求項１５】
前記熱吸収コア（３）の近位端（３ａ）と前記本体（１）の前記近位端（１ａ）との間に設けられたバネ（１２）と、
前記アプリケータヘッド（２）と前記熱吸収コア（３）の遠位端（３ｂ）との間の前記スロット（２ｂ）内に設けられた可撓筐体（１１）の第１部（１１ｂ）と、
前記熱吸収コア（３）と前記本体（１）との間に設けられた前記可撓筐体（１１）の第２部（１１ｃ）と、
前記可撓筐体（１１）内に入れられた流体（１１ａ）と、
第１位置で前記可撓筐体（１１）を圧縮し、第２位置で前記可撓筐体を弛緩させことができるように前記本体（１）の壁を通過するスイッチ（１３）と、
をさらに備え、
前記スイッチ（１３）によって前記可撓筐体（１１）が圧縮されると、可撓筐体の前記第１部（１１ｂ）内にいくらかの前記流体（１１ａ）が移動し、これにより前記熱吸収コアを近位に移動させて、前記バネ（１２）を圧縮し、
第１位置から第２位置へと前記スイッチ（１３）が移動すると、前記バネ（１２）が伸長して前記熱吸収コアを遠位に移動させ、いくらかの前記流体（１１ａ）を前記可撓筐体（１１）の前記第２部（１１ｃ）内へと移動させる、請求項１に記載の手持ち型の冷却ツール（１０）。
【発明の詳細な説明】
【技術分野】
【０００１】
本発明は、冷却効果を発揮し、皮膚の腫れ、炎症、および外観を処置するために使用されるパーソナルケアツールの分野に関する。
【背景技術】
【０００２】
皮膚の表面から熱を引き込むための手持ち型冷却器具が知られている。１つのタイプの装置は皮膚接触面から熱を引き込むヒートシンクとして働く冷却液の着脱可能なリザーバを使用する。皮膚表面から熱を取り除くと冷却効果が発揮される。冷却剤のリザーバを使用するこれらの実施形態では、リザーバは装置から取り外され、冷却され、使用時に装置に再挿入されなくてはならない。冷却剤のリザーバの破損または配置ミスの可能性から、このタイプの装置は理想的ではない。より単純でより確実な装置であれば、冷却液のリザーバを使用することも、ユーザに装置を分解および再組立させる必要もないであろう。他の公知の装置は、固体から液体へと変化する物質である、相変化物質をユーザの皮膚から熱を受け取るヒートシンクとして使用してもよい。しかしながら、相変化物質は最初に凍結されるため、物質を組み込むツールは顔用途のパーソナルケアとしては冷たすぎる。
【発明の概要】
【発明が解決しようとする課題】
【０００３】
本発明によるパーソナルケア冷却ツール（１０）は冷却感覚を提供する。表面に接触すると、ツールは表面から熱エネルギーを取り除く。ツールは、目の下、額、頬、および顎等の顔の領域に対して処置をするために使用され、炎症、腫れ、血液貯留、および他の好ましくない皮膚の欠陥を抑えることで皮膚の外観を向上させてもよい。ツールは、筋肉を和らげてリラックスさせるために身体の他の部分をマッサージし、皮膚組織の腫れを抑えるために使用されてもよい。実験室環境では、本発明のパーソナルケアツールは、構成成分を化学的に変化または希釈することなく、固体表面および流体材料の温度を下げるために使用されてもよい。
【０００４】
冷却ツール（１０）は、比較的高い熱伝導率を有するアプリケータヘッド（２）と、比較的低い熱伝導率を有する把持面（１）と、ある特定の最小値よりも大きな熱容量を有する熱吸収コア（３）とを備える。これらの構成要素は、ユーザの観点から恒久的に組み立てられ、ツールは単一ピースの構造体で、ユーザによって分解および組み立て直す必要がないことが好ましい。これは、冷却剤の着脱可能リザーバを有する必要のあるいくつかの冷却装置とは異なる。これらの実施形態では、冷却剤のリザーバは装置から取り外されて、冷やされ、使用時に装置に再挿入されなくてはならない。それに対して、本明細書中に説明されている恒久的なアセンブリはより使いやすく、破損に繋がり、機能性を損なう可能性のある消費者の使用および環境的な要因に耐える非常に頑丈なハンドツールを生み出す。ツールはまた、低価格で製造可能である。
【図面の簡単な説明】
【０００５】
【図１】本発明による皮膚を冷却および処置をするためのパーソナルケアツール（１０）を示す。
【図２】図１のツール（１０）の断面を示す。
【図３Ａ】冷却ツール（１０）の本体（１）を示す。
【図３Ｂ】冷却ツール（１０）の本体（１）を示す。
【図３Ｃ】冷却ツール（１０）の本体（１）を示す。
【図４】アプリケータヘッド（２）を示す。
【図５】アプリケータヘッド（２）の本体（１）との接続を示す。
【図６】アプリケータヘッド（２）の様々な実施形態を示す。
【図７】アプリケータヘッド（２）の様々な実施形態を示す。
【図８】アプリケータヘッド（２）の様々な実施形態を示す。
【図９】蓄冷台（６）に載置されている冷却ツール（１０）を示す。
【図１０】期待される効果を得るために冷却ツール（１０）が使用され得る一般的な顔の領域をいくつか示す。
【図１１】期待される効果を得るために冷却ツール（１０）が使用され得る一般的な顔の領域をいくつか示す。
【図１２】期待される効果を得るために冷却ツール（１０）が使用され得る一般的な顔の領域をいくつか示す。
【図１３Ａ】冷却ツール（１０）が皮膚を冷却する速度を調整するための制御を有する本発明の実施形態を示す。
【図１３Ｂ】冷却ツール（１０）が皮膚を冷却する速度を調整するための制御を有する本発明の実施形態を示す。
【発明を実施するための形態】
【０００６】
図１および図２を参照すると、本発明による冷却ツール（１０）は、アプリケータヘッド（２）を支持し、熱吸収コア（３）を収容する本体（１）を備える。アプリケータヘッドは熱吸収コアに熱的に接続されている。オプションバネ（５）がアプリケータヘッドと本体との間に設けられている。これらの要素の構造は、短い時間で皮膚からツールのコアへの実質的な熱伝導を容易にすることを意図している。
【０００７】
本体
図３Ａ、図３Ｂ、および図３Ｃを参照すると、本体（１）はハンドルとして機能する中空の細長い部材である。本体は、近位端（１ａ）（開放していても閉鎖していてもよい）と、開口した遠位端（１ｂ）と、中央縦軸（１ｃ）とを有する。本体は、ユーザの手で快適に握れるサイズとされている。例えば、本体は、通例では５〜２０ｃｍの長さであってもよい。本体の断面形状は円環状が好ましいが、他の形状であってもよい。断面の最大寸法（例えば、直径）は約１〜５ｃｍである。本体はアプリケータヘッド（２）を支持し、熱吸収コア（３）を収容する。アプリケータヘッドを支持するには、本体の遠位端（１ｂ）の内面に、以下に示すようにアプリケータヘッドと相互に作用する溝（１ｄ；図３Ｃに示す詳細部分を参照）が設けられていてもよい。
【０００８】
本体（１）は熱の伝導性が比較的低い。これにより、アプリケータヘッドの効果がユーザの手からの熱によって損なわれないように、アプリケータヘッド（２）からユーザの手が隔離されている。具体的には、本体は熱の伝導性が悪いため、ユーザの手から放散する熱が容易に本体を通じて熱吸収コア（３）またはアプリケータヘッドへと伝わることができない。この熱伝導は、アプリケータヘッドから熱吸収コアへの熱伝導を低下させ、ツールの効果を低減させるものである。また、後で分かるが、本体とアプリケータヘッドおよび熱吸収コアとの接触は最小限であり、熱エネルギーの移動をさらに制限する。好適には、本体は、様々なポリエチレン（ＰＥＴ、ＰＥＴＧ等）等のプラスチックで形成され、金属では形成されない。また、ユーザの手からの伝熱を防ぐため、本体は熱伝導率が低く、約０．５Ｗ／ｍ‐Ｋ未満と我々は定める。美観的理由から本体は透明でも不透明でもよい。
【０００９】
アプリケータヘッド
図４を参照すると、アプリケータヘッド（２）は皮膚接触面（２ｃ）を有する。皮膚接触面は、ユーザの皮膚と接触する冷却ツール（１０）の部分であり、ユーザの皮膚から熱を引き込む。アプリケータヘッドは本体（１）および熱吸収コア（３）に接続されている。アプリケータヘッドは、本体の開口した遠位端（１ｂ）に保持され、ユーザの皮膚に接触し得るように遠位端から突出している。本体への接続を達成するための様々な役立つ手段が存在する。例えば、アプリケータヘッドのベース（２ａ）は本体の開口した遠位端（１ｂ）に嵌合するようにサイズが決定され、そこにスナップフィット、ねじ係合、または接着剤（好適には熱をそれほど伝導しない接着剤）で保持されてもよい。スナップフィットは、本体の溝（１ｄ）にぴったりと嵌合するアプリケータヘッドのベース上の環状リング（２ｄ）を備えてもよい。本体（１）がプラスチックであるため、本体の遠位端（１ｂ）の開口部は屈曲して若干広がり、アプリケータヘッドの環状リングを溝へとスライドして下げることができる。アプリケータヘッドにスロット（２ｂ）が配置され、熱吸収コア（３）の遠位端（３ｂ）を受けるようにサイズが決定されている（図５参照）。任意選択で、ガスケット（４）がアプリケータヘッドと本体との間に配置されて、水または他の汚染物質の本体内への侵入を防いでもよい（図４参照）。
【００１０】
いくつかの実施形態では、アプリケータヘッド（２）と本体（１）との間の接続は、消費者の視点から固定されて恒久的である。これは、消費者にとって調和を欠く体験の原因となるアプリケータヘッドと本体との間の接続の緩みを防止する。しかしながら、任意選択で、バネ（５；図５参照）等の弾力性のある構成要素が本体（１）とアプリケータヘッド（２）との間に設けられてもよい。本実施形態では、熱吸収コア（３）が備えつけられたアプリケータヘッドは、本体に接続されたまま、本体に対して第１位置と第２位置との間で移動可能である。例えば、第１位置ではアプリケータヘッドのベース（２ａ）上の環状リング（２ｄ’）は本体の内面に配置される止め具（１ｄ’）に接触する（図５に示される）。ユーザがユーザの皮膚にアプリケータヘッドを押し当てると、アプリケータヘッドは第２位置に向かって移動する。第２位置で環状リング（２ｄ’）は止め具（１ｄ’）よりも下方にある。ユーザがユーザの皮膚からアプリケータヘッドを外すと、バネが伸びて、アプリケータヘッドを第１位置に戻す。バネの主な利点としては、ユーザがユーザの顔周りでツールを動かしている際に皮膚とアプリケータヘッドとの間に一貫したアプリケーション圧をかけることである。一貫したアプリケーション圧を維持することで、皮膚からアプリケータヘッドへの伝熱率のばらつきが最小となり、ツールがさらに一貫した動作を提供する。バネ付きアプリケータヘッドの使用は、さらに心地よく洗練されたより柔らかな感触もユーザに提供する。
【００１１】
アプリケータヘッド（２）は、比較的に高い熱容量を有して、熱伝導が良くなくてはならない。このことは、実質的な熱を皮膚から熱吸収コアへと運び去ることを可能にする。アプリケータヘッドの熱伝導率は大きくなくてはならず、約１０Ｗ／ｍ‐Ｋよりも大きいと我々は規定する。概して、最も効率的なアプリケータヘッドは単一で、単一構造のものである。アプリケータヘッドの好適な材料としては金属であり、研磨することで指定された表面仕上げを提供することができる。概して、滑らかな表面はユーザにとってより心地よいのみならず、皮膚とアプリケータヘッドとの間の物理的接触を最大にする。反対に、より粗い表面は皮膚とアプリケータとの間に空気を捕捉し、空気は比較的熱伝導が悪いため、熱伝導を低下させる。しかしながら、他にも考慮すべきことがあり、アプリケータヘッドの表面仕上げを設計する際に、ユーザによるツールの使用が意図される温度が考慮されるべきである。例えば、（消費者用冷凍庫で見つけられ得るような）水の氷点より低い温度では、金属のアプリケータヘッドが顔の組織にくっつかないようにより粗い表面の質感が好ましい。この場合、好適な表面粗さは０．４μｍ〜７０μｍである。より粗い表面は皮膚とアプリケータとの間に空気を捕捉して伝熱を低下させるが、アプリケータヘッドが非常に冷たい温度では、それを補う以上の働きをする。一方、（消費者用冷凍庫で見つけられ得るような）５°Ｃから室温まで等の暖かい温度では伝熱率を最大とし、ユーザに心地良い体験を提供するため、よりきめ細かな表面質感が好ましい。この場合、好適な表面粗さは０．０１２μｍ〜２．０μｍである。アプリケータヘッドの適切な材料としては、アルミニウム、真ちゅう、銅、鋳鉄、金、銀、および鋼鉄が挙げられる。好適な金属は、高度な研磨を受けることができ、耐腐食性のある、ステンレス鋼である。
【００１２】
皮膚接触面（２ｃ）の形状も熱がどれほど効率良く皮膚から運び去られるかを決定する。概して、皮膚と皮膚接触面との間の接触が大きいほど、熱が早く皮膚から引き込まれ、皮膚の温度は低下する。しかしながら、消費者の快適さ、つまりアプリケータヘッドを皮膚上で容易に滑らかに動かす能力も要因である。このように、皮膚を引掻く恐れのある、そうでなくても心地がよくない急な角度と直線のエッジとを有するアプリケータヘッドは回避すべきである。そのため、好適な皮膚接触面は、半球状（図６）から半球状未満のもの（図７および図８）の範囲である球状ドームとして形作られることが好ましい。これらには急な角度や直線のエッジがない。図８に注目すると、アプリケータヘッドが中心部からずれてもよい、すなわち、本体（１）の中央縦軸（１ｃ）に対して非対称でもよい。アプリケータが半球状未満の場合、この中心部からずれた位置は、ツールを保持する際にユーザにより快適な角度を提供する。
【００１３】
ドーム型のアプリケータヘッド（２）は、半径（２ｅ）および頂点（２ｆ）によって特徴づけられている。概して、アプリケータヘッドの皮膚接触面（２ｃ）の半径は典型的に０．５ｃｍ〜３０ｃｍの範囲である。理想的には、より大きな半径のアプリケータヘッドは額および頬骨に使用され、より小さな半径のアプリケータヘッドは目および鼻の周りに使用される。例えば、テストにおいて、約１．０ｃｍ〜１．５ｃｍの半径は目の下の処置に役立つことが証明され、１．１ｃｍ〜１．２ｃｍは目の下の処置に理想的であることが証明された。目の眼角付近の狭い領域で働くために十分に小さいが、わずか数ストロークでその領域をカバーできるほど十分に大きい。さらに小さな半径は、持続的で目標を定めた冷却が効果的な目尻のしわの処置に役立つと証明された。約１．０ｃｍ〜２．０ｃｍの半径は顔全体へのアプリケーションに非常に役立ったが、約２．０ｃｍよりも大きく３０ｃｍまでの半径は、腕、足、足の裏等、身体の広く平坦な部位に使用できる。
【００１４】
熱吸収コア
熱吸収コア（３）は、遠位端（３ｂ）と近位端（３ａ）とを有する金属塊である。熱吸収コアの遠位端はアプリケータヘッド（２）のスロット（２ｂ）内に挿入されているが、熱吸収コアの近位端は中空の本体（１）内に下に延びて入っている。熱吸収コアはヒートシンクであり、処置されているユーザの皮膚のその部分からアプリケータヘッドを通って来る熱を効率良く受け入れるように設計されているが、本体を通って来るユーザの手からはそれほど効率良くなっていない。熱吸収コアおよびアプリケータヘッドは両方とも金属である。これらは同じ金属（例えば、ステンレス鋼）または異なる金属からなってもよい。いずれの方法にせよ、ツールの意図される使用の最中にユーザの皮膚から熱が継続的に引き込まれるように、熱吸収コアはアプリケータヘッドよりも高い熱容量を持つべきである。アプリケータヘッドおよび熱吸収コアの熱容量は、各部材のそれぞれの熱容量および各部材の質量によって決定される。概して、熱吸収コアの質量は、アプリケータヘッドのそれよりもさらに大きいが、熱吸収コアの熱容量がアプリケータヘッドの熱容量以上であることも好ましい。熱吸収コアの熱容量がアプリケータヘッドの熱容量よりも極めて大きいことが最も好適である。より大きな質量およびより大きな熱容量の両方を有することで、熱吸収コアはアプリケータヘッドから効率的に熱を引き込む。概して、熱吸収コアは比較的高い熱容量を有し、少なくとも２５Ｊ／Ｋ、好ましくはそれよりも大きい。好適には、コアはほぼ本体内部の全体的な長さまで延び、これによりコアが可能な限り大きくできるため、より良好なヒートシンクとなる。好適には、コアの質量は約４０ｇ〜約１５０ｇであり、より好適には５０ｇ〜１２５ｇで、最も好適には約６０ｇ〜１００ｇである。
【００１５】
アプリケータヘッドと熱吸収コアの組み合わせの熱容量についても説明する。一体として、家庭用冷蔵庫で蓄冷したツールの使用時間が４〜５分間の場合、約２５〜３５Ｊ／Ｋの組み合わせられた熱容量が非常に効果的であると証明されている。
【００１６】
実施形態では、アプリケータヘッドから熱吸収コアの重心（３ｅ）までの距離は可能な限り大きいことが好ましい。これにより吸収された熱を可能な限りアプリケータヘッドから遠くへと移動させることができる。そのため、アプリケータヘッドから熱吸収コアの重心（３ｅ）までの距離が本体（１）の長さの少なくとも１／３であることが好適である。
【００１７】
熱吸収コア（３）は円筒形の塊であってもよく、その遠位端（３ｂ）はアプリケータヘッド（２）のスロット（２ｂ）内に恒久的に挿入されている。コアは、摩擦嵌め、スナップフィット、または、ねじ係合によってアプリケータヘッドのスロットで保持されてもよい。代替的に、熱伝導接着剤（１ｅ）がアプリケータヘッドと熱吸収コアとの間に配置されてもよい。熱伝導接着剤が使用された場合、熱伝導接着剤は少なくとも１Ｗ／ｍ−Ｋの熱伝導率を有し、適切な全体的な伝熱率を確保する。代替的に、熱吸収コアおよびアプリケータヘッドは単一構造として形成されてもよい。代替的に、下記で説明される実施形態によっては、熱吸収コアはアプリケータヘッドに対して可動で、熱吸収コアの遠位端（３ｂ）はアプリケータヘッドのスロット（２ｂ）内で近位におよび遠位に摺動できる。
【００１８】
熱吸収コア（３）が本体（１）と最小限の接触を有してユーザの手から本体を通ってコアへと伝導される熱の量を制限することが好適である。そのため、熱吸収コアが本体内部の長さだけ延びていてもエアギャップ（１ｆ）が両者を分離する。熱吸収コアのために追加のサポートを足す必要がある場合は、コアと本体との間に最小限の接触があってもよい。最小限の接触とは、熱吸収コアの表面の１％未満が本体と接触することを意味する。例えば、図２および図３は、熱吸収コアの重量を支持するための、本体（１）の近位端（１ａ）付近に配置されているスプラインまたはリブ（１ｇ）を示す。しかしながら、この場合、本体と熱吸収コアとの間の接触の量は最小限であり（すなわち、熱吸収コアの１％未満が本体と接触している）、皮膚を冷却するためにツールを使用することには悪影響がない。下記で説明される実施形態によっては、熱吸収コアの遠位端（３ｂ）は、バネ（１２）によってアプリケータヘッド（２）のスロット（２ｂ）内で支持されている。
【００１９】
冷却ツール（１０）は、アプリケータヘッド（２）の皮膚接触面（２ｃ）の頂点（２ｆ）から本体（１）の近位端（１ａ）までで測定する全体長を有している。冷却ツールは、ほとんどの化粧品およびパーソナルケア器具よりも極めて重い。そのため、ユーザによって最適なコントロールができるように、冷却ツール（１０）の重心（１０ｅ）は、アプリケータヘッドの皮膚接触面の頂点からツールの長さの２５％〜７５％、好適にはツールの長さの２５％〜５０％の距離を持って配置すべきである。例えば、冷却ツールが長さ１０ｃｍの場合、重心は皮膚接触面の頂点から２．５ｃｍ〜７．５ｃｍで、さらに好適には、アプリケータヘッドの皮膚接触面から２．５ｃｍ〜５．０ｃｍである。あるいは、ツールが長さ５ｃｍの場合、ツールの重心はアプリケータヘッドの皮膚接触面（２ｃ）から１．２５ｃｍ〜３．７５ｃｍで、さらに好適にはアプリケータヘッドの皮膚接触面の頂点から１．２５ｃｍ〜２．５ｃｍである。
【００２０】
使用
一般的に、本明細書中で説明されている皮膚の冷却および処置のためのパーソナルケアツール（１０）は、使用前に冷却する必要がある。ツールは周辺温度が約１５°Ｃよりも低い任意の環境に置かれ、平衡を保つために十分に長い間そこに留めることが好ましい。より好適には、周辺温度は約５°Ｃ〜１０°Ｃである。このような温度は家庭用冷蔵庫で一般的である。本明細書中に説明されている皮膚を冷却および処置をするための冷却ツールは、０°Ｃを下回る周辺温度を有する環境で保管することもできるが、アプリケータヘッドがそこまで冷たいと、ユーザによっては不快と感じるかもしれない。
【００２１】
アプリケータヘッド（２）が一旦冷却されると、ユーザはツール（１０）の本体（１）を握って、アプリケータヘッドを処置が望まれるユーザの皮膚の表面に接触させる。これは、アプリケータヘッドを皮膚の表面（図１１および図１２に経路（８）および（９）で図示）上で滑らせ、または、しばらくの間一点に置く（図１０に（７）で図示）または両者の組合せを意味してもよい。冷たいアプリケータヘッドは皮膚表面から熱を取り除き、これはアプリケータヘッドを通過させて熱吸収コアへと伝わる。熱の伝達は速く、冷却効果は、例えば、少なくとも５分間等、かなりの期間持続できる。この期間、ツールは顔の領域、例えば目の下、額、頬、および顎を処置するために使用され、炎症、腫れ、血液貯留、および他の好ましくない皮膚の欠陥を減少させることで皮膚の外観を改善してもよい。ツールは、筋肉を和らげてリラックスさせるために身体の他の部分をマッサージし、皮膚組織の腫れを抑えるために使用されてもよい。
【００２２】
本明細書中に主張されるパーソナルケア冷却ツールの開発において、ツールは皮膚の温度を下げることで皮膚の処置に効果的であること、および処置が終了した後もかなりの期間（５分間を超える）効果が持続することを本発明者たちは繰り返し観察した。冷却効果は、対照群の冷却効果より長く持続するのみならず、効果の大きさも対照群の効果よりも大きい。観察された効果は、本明細書中に主張される冷却ツールの使用に確かに起因した。
【００２３】
オプションの蓄冷台
以上のように、使用前にパーソナルケア冷却ツールは冷たい環境に置かれ、周辺温度に対して平衡状態とするようにできる。これを発生させるための時間は、これから説明するように蓄冷台を使用することで短縮できる。図９を参照すると、蓄冷台（６）はハウジング（６ａ）およびヒートシンク（６ｂ）を備える。使用に際し、蓄冷台は、いつでも使用できるように冷蔵庫等の寒い環境にあるままにする。ここでの原理は、熱吸収コア（３）がアプリケータヘッド（２）から熱を引き込む方法に似ている。この時点でのみ、蓄冷台のヒートシンク（６ｂ）は冷却ツール（１０）の熱吸収コア（３）から熱を引き込み、これによって熱吸収コアおよびアプリケータヘッドをより迅速に冷却できる。
【００２４】
図９の実施形態にて、蓄冷台（６）は、ヒートシンク（６ｂ）を収容し、その中でパーソナルケア冷却ツール（１０）が載置できるプラスチックハウジング（６ａ）を備える。ヒートシンクは金属の塊で、冷却ツールの熱吸収コア（３）の近位端（３ａ）に接触できるように少なくともその一部（６ｃ）がプラスチックハウジング（６ａ）から突出している。本実施形態では、冷却ツールが蓄冷台に載置された時にヒートシンクの突出部（６ｃ）が本体（１）の近位端内に通じ、熱吸収コアと物理的接触するように冷却ツールの本体（１）の近位端（１ａ）が開放されている。ツールが蓄冷台無しで冷蔵庫に置かれる場合よりもアプリケータヘッドをより迅速に冷却するのはヒートシンク（６ｂ）と熱吸収コア（３）との物理的接触である。好適には、ヒートシンクは熱吸収コアの熱容量と少なくとも同じくらいの大きさの熱容量を有するが、効果を得るために厳密に必須というわけではない。そのため、蓄冷台のヒートシンク（６ｂ）が、少なくとも２５Ｊ／Ｋ、好適にはそれより大きな熱容量、および５０ｇ、好適にはそれより大きな質量を有することが好ましい。具体的には、ヒートシンク（６ｂ）が、熱吸収コアの熱容量の少なくとも２倍の大きさの熱容量を有すればより好ましい。
【００２５】
消費者が冷却ツールの使用を望む場合、消費者は冷蔵庫を開き、蓄冷台からツールを取り出し、蓄冷台は冷蔵庫内に置いたままにしておく。使用後、ツールは冷蔵庫内の蓄冷台に戻される。
【００２６】
オプションの可変冷却速度制御
任意選択で、本発明の実施形態によっては、冷却ツールが皮膚を冷却する速度を調整する制御手段を有してもよい。制御手段は、ユーザがアプリケータヘッドに対して熱吸収コアを動かすことを可能にすることで、アプリケータヘッドから熱吸収コアへの伝熱の速度を調整する。図１３Ａおよび図１３Ｂに概念が説明されている。可撓筐体（１１）の第１部（１１ｂ）がアプリケータヘッド（２）と熱吸収コア（３）の遠位端（３ｂ）との間のスロット（２ｂ）内に設けられる。可撓筐体の第２部（１１ｃ）が熱吸収コアと本体（１）との間に設けられる。流体（１１ａ）が可撓筐体（１１）内に入っている。アプリケータヘッドのスロット（２ｂ）内へと、またはスロット（２ｂ）外へと多少の流体が移動するに応じて、熱吸収コアが縦方向に移動できるように、熱吸収コアの近位端（３ａ）と本体の近位端（１ａ）との間にバネ（１２）が設けられている。
【００２７】
図示されるように、スイッチ（１３）が本体（１）の壁を通過し、第１位置と第２位置との間を縦方向に摺動できる。第１位置に動くと、スイッチは可撓筐体（１１）を圧縮し、第２位置に向かって動かされると、スイッチは可撓筐体を弛緩させることができる。可撓筐体がスイッチによって圧縮されると、少量の流体（１１ａ）が可撓筐体の第１部（１１ｂ）内へと移動し、これにより、熱吸収コア（３）を近位に移動させて、バネ（１２）を圧縮する。結果的に、熱吸収コアの遠位端（３ｂ）のより少ない部分がアプリケータヘッドのスロット（２ｂ）内にあり、アプリケータヘッドから熱吸収コアへの伝熱の速度が下がる。このように、冷却速度が下がる。これは図１３Ｂに示される。同様に、スイッチが第１位置から第２位置へと動くと、バネ（１２）が伸長して、熱吸収コアを遠位に移動させ（すなわち、さらにアプリケータヘッドのスロット内へと）、可撓筐体の第２部（１１ｃ）内へと少量の流体を移動させる。結果的に、熱吸収コアはアプリケータヘッドから熱をより効率的に取り除く。このようにして、冷却速度が増す。これは図１３Ａに示される。
【図１】
2021511910.tif 000003
【図２】
2021511910.tif 000004
【図３Ａ】
2021511910.tif 000005
【図３Ｂ】
2021511910.tif 000006
【図３Ｃ】
2021511910.tif 000007
【図４】
2021511910.tif 000008
【図５】
2021511910.tif 000009
【図６】
2021511910.tif 000010
【図７】
2021511910.tif 000011
【図８】
2021511910.tif 000012
【図９】
2021511910.tif 000013
【図１０】
2021511910.tif 000014
【図１１】
2021511910.tif 000015
【図１２】
2021511910.tif 000016
【図１３Ａ】
2021511910.tif 000017
【図１３Ｂ】
2021511910.tif 000018
【国際調査報告】
2021511910.tif 000019
2021511910.tif 000020